(57)【要約】【課題】本発明の目的は、トランス脂肪酸含有量が低く、作業性のよい、油脂組成物を提供することである。また、本発明の目的は、当該油脂組成物が使用された、口どけのよいベーカリー食品を提供することである。【解決手段】トランス脂肪酸の含有量が５質量％以下の油脂組成物であって、前記油脂組成物に含まれる乳脂肪以外の油脂が、以下の（ａ）、（ｂ）、（ｃ）、（ｄ）、（ｅ）および（ｆ）の条件を満たす、前記油脂組成物。（ａ）Ｌ２Ｕの含有量が１５〜４５質量％である（ｂ）Ｌ２Ｕの含有量に対するＬＬＵの含有量の質量比（ＬＬＵ／Ｌ２Ｕ）が０．２０〜０．６５である（ｃ）ＬＵ２の含有量が２５〜４５質量％である（ｄ）ＬＵ２の含有量に対するＵＬＵの含有量の質量比（ＵＬＵ／ＬＵ２）が０．１５〜０．３０質量％である（ｅ）ＬＬＬの含有量が３〜１５質量％である（ｆ）ＵＵＵの含有量が５〜３０質量％である【選択図】なし【特許請求の範囲】
【請求項１】
トランス脂肪酸の含有量が５質量％以下の油脂組成物であって、前記油脂組成物に含まれる乳脂肪以外の油脂が、以下の（ａ）、（ｂ）、（ｃ）、（ｄ）、（ｅ）および（ｆ）の条件を満たす、前記油脂組成物。
（ａ）Ｌ２Ｕの含有量が１５〜４５質量％である
（ｂ）Ｌ２Ｕの含有量に対するＬＬＵの含有量の質量比（ＬＬＵ／Ｌ２Ｕ）が０．２０〜０．６５である
（ｃ）ＬＵ２の含有量が２５〜４５質量％である
（ｄ）ＬＵ２の含有量に対するＵＬＵの含有量の質量比（ＵＬＵ／ＬＵ２）が０．１５〜０．３０質量％である
（ｅ）ＬＬＬの含有量が３〜１５質量％である
（ｆ）ＵＵＵの含有量が５〜３０質量％である
ただし、Ｌ、Ｕ、Ｌ２Ｕ、ＬＬＵ、ＬＵ２、ＵＬＵ、ＬＬＬおよびはＵＵＵ、以下を意味する。
Ｌ：炭素数１６〜２４の飽和脂肪酸
Ｕ：炭素数１６〜２４の不飽和脂肪酸
Ｌ２Ｕ：グリセロール１分子に２分子のＬと１分子のＵがエステル結合したトリアシルグリセロール
ＬＬＵ：グリセロールの１位または３位に１分子のＵがエステル結合し、残りに２分子のＬがエステル結合したトリアシルグリセロール
ＬＵ２：グリセロール１分子に１分子のＬと２分子のＵがエステル結合したトリアシルグリセロール
ＵＬＵ：グリセロールの２位にＬがエステル結合し、１位および３位にＵがエステル結合したトリアシルグリセロール
ＬＬＬ：グリセロール１分子に３分子のＬがエステル結合したトリアシルグリセロール
ＵＵＵ：グリセロール１分子に３分子のＵがエステル結合したトリアシルグリセロール
【請求項２】
前記油脂組成物に含まれる乳脂肪以外の油脂が、さらに、以下の条件（ｇ）を満たす、請求項１に記載の油脂組成物。
（ｇ）ラウリン酸含有トリアシルグリセロールの含有量が１．０〜１８質量％である
【請求項３】
前記油脂組成物に含まれる乳脂肪以外の油脂が、さらに、以下の条件（ｈ）を満たす、請求項１または２に記載の油脂組成物。
（ｈ）構成脂肪酸全量に占める、パルミチン酸（Ｐ）の含有量に対するステアリン酸（Ｓｔ）の含有量の比（Ｓｔ／Ｐ）が、０．１５〜０．５である。
【請求項４】
請求項１から３の何れか１項に記載の油脂組成物が、練り込まれた、および／または、折り込まれた、状態にある、ベーカリー生地。
【請求項５】
請求項４に記載のベーカリー生地が焼成された状態にある、ベーカリー食品。
【発明の詳細な説明】
【技術分野】
【０００１】
本発明はベーカリー食品の製造に適した油脂組成物に関する。
【背景技術】
【０００２】
食パン、菓子パン、デニッシュペストリー、ケーキ、クッキー、ビスケットなどのベーカリー食品は、小麦粉などの穀粉に油脂組成物が、練り込まれた、および／または、折り込まれた、生地が焼成されることにより製造される。ベーカリー食品の製造に使用される油脂組成物は、典型的にはバターである。バターが使用されたベーカリー食品は、良好な風味と口どけを有する。しかしながら、バターは、高価であり、また、経時的に物性が変化するので、使い難い。そこで、安価で作業性がよい、バター（乳脂）以外の動植物性油脂を使用した可塑性油脂組成物が開発されてきた。
【０００３】
特にトランス脂肪酸の問題以降、可塑性油脂組成物には、動植物性油脂、および、エステル交換および／または分別された油脂が使用されている。しかしながら、エステル交換および／または分別により生成するトリアシルグリセロールは、ＳＳＳ、ＳＳＵ、ＳＵＳ、ＳＵＵ、ＵＳＵ、ＵＵＵ（Ｓ は飽和脂肪酸、Ｕはシス不飽和脂肪酸）に限られるため、可塑性油脂組成物を改質する選択肢は限られる。
【０００４】
そのような状況下、例えば、特開２００２−０６９４８４号公報は、ＳＵＳとＵＳＵとからなるコンパウンド結晶を含有する油脂組成物を開示する。コンパウンド結晶は、安定な２鎖長のβ型結晶ある。そのため、油脂組成物の経時的な物性の変化は、非常に少ないと考えられている。しかしながら、ＳＵＳとＵＳＵとがコンパウンド結晶を形成するためには、ＳＵＳとＵＳＵの存在比が１：１に近く、かつ、油脂組成物に含まれる油脂に占めるＳＵＳおよびＵＳＵの含有量が高い、必要がある。ＳＵＳおよびＵＳＵの含有量が高い油脂を得るためには、高度な油脂加工技術が必要とされる。したがって、コンパウンド結晶の利用コストは非常に高い。
【０００５】
特開２００５−３５０６６０号公報は、ＳＵＳとＵＳＵとのコンパウンド結晶と、２鎖長のβ型結晶を形成するＰＰＰ（Ｐはパルミチン酸）とを併用した油脂組成物を開示する。ＰＰＰを併用することにより、油脂組成物は、ＳＵＳとＵＳＵの含有量が低く、その存在比が１：１を多少外れていても、ＳＵＳとＵＳＵとのコンパウンド結晶を形成するとされている。しかしながら、ＰＰＰを含むＳＳＳの含有量が高くなるため、油脂組成物を使用して製造されたベーカリー食品は、口どけが悪い。
【先行技術文献】
【特許文献】
【０００６】
【特許文献１】特開２００２−０６９４８４号公報
【特許文献２】特開２００５−３５０６６０号公報
【発明の概要】
【発明が解決しようとする課題】
【０００７】
したがって、トランス脂肪酸含有量が低く、作業性がよく、口どけのよいベーカリー食品が製造できる油脂組成物の開発が求められていた。
【０００８】
本発明の目的は、トランス脂肪酸含有量が低く、作業性のよい、油脂組成物を提供することである。また、本発明の目的は、当該油脂組成物が使用された、口どけのよいベーカリー食品を提供することである。
【課題を解決するための手段】
【０００９】
本発明者らは、上記課題を解決すべく鋭意検討を行った。その結果、油脂組成物に含まれる乳脂肪以外の油脂が、特定のトリアシルグリセロールを特定量含むと、作業性がよい油脂組成物が得られることを見出した。また、当該油脂組成物を使用すると、口どけのよいベーカリー食品が得られることを見出した。これにより、本発明は完成された。
【００１０】
すなわち、本発明は以下の油脂組成物、ベーカリー生地、およびベーカリー食品を提供する。
[１]トランス脂肪酸の含有量が５質量％以下の油脂組成物であって、前記油脂組成物に含まれる乳脂肪以外の油脂が、以下の（ａ）、（ｂ）、（ｃ）、（ｄ）、（ｅ）および（ｆ）の条件を満たす、前記油脂組成物。
（ａ）Ｌ２Ｕの含有量が１５〜４５質量％である
（ｂ）Ｌ２Ｕの含有量に対するＬＬＵの含有量の質量比（ＬＬＵ／Ｌ２Ｕ）が０．２０〜０．６５である
（ｃ）ＬＵ２の含有量が２５〜４５質量％である
（ｄ）ＬＵ２の含有量に対するＵＬＵの含有量の質量比（ＵＬＵ／ＬＵ２）が０．１５〜０．３０質量％である
（ｅ）ＬＬＬの含有量が３〜１５質量％である
（ｆ）ＵＵＵの含有量が５〜３０質量％である
ただし、Ｌ、Ｕ、Ｌ２Ｕ、ＬＬＵ、ＬＵ２、ＵＬＵ、ＬＬＬおよびはＵＵＵ、以下を意味する。
Ｌ：炭素数１６〜２４の飽和脂肪酸
Ｕ：炭素数１６〜２４の不飽和脂肪酸
Ｌ２Ｕ：グリセロール１分子に２分子のＬと１分子のＵがエステル結合したトリアシルグリセロール
ＬＬＵ：グリセロールの１位または３位に１分子のＵがエステル結合し、残りに２分子のＬがエステル結合したトリアシルグリセロール
ＬＵ２：グリセロール１分子に１分子のＬと２分子のＵがエステル結合したトリアシルグリセロール
ＵＬＵ：グリセロールの２位にＬがエステル結合し、１位および３位にＵがエステル結合したトリアシルグリセロール
ＬＬＬ：グリセロール１分子に３分子のＬがエステル結合したトリアシルグリセロール
ＵＵＵ：グリセロール１分子に３分子のＵがエステル結合したトリアシルグリセロール
[２]前記油脂組成物に含まれる乳脂肪以外の油脂が、さらに、以下の条件（ｇ）を満たす、[１]の油脂組成物。
（ｇ）ラウリン酸含有トリアシルグリセロールの含有量が１．０〜１８質量％である
[３]前記油脂組成物に含まれる乳脂肪以外の油脂が、さらに、以下の条件（ｈ）を満たす、[１]または[２]の油脂組成物。
（ｈ）構成脂肪酸全量に占める、パルミチン酸（Ｐ）の含有量に対するステアリン酸（Ｓｔ）の含有量の比（Ｓｔ／Ｐ）が、０．１５〜０．５である。
[４][１]から[３]の何れか１つの油脂組成物が、練り込まれた、および／または、折り込まれた、状態にある、ベーカリー生地。
[５][４]のベーカリー生地が焼成された状態にある、ベーカリー食品。
【発明の効果】
【００１１】
本発明によると、トランス脂肪酸含有量が低く、作業性のよい、油脂組成物を提供することができる。また、当該油脂組成物が使用された、口どけのよいベーカリー食品を提供することができる。
【発明を実施するための形態】
【００１２】
以下に本発明について詳細に説明する。
なお、本発明において、Ａ〜Ｂは、Ａ以上Ｂ以下を意味する。例えば、Ａ〜Ｂ質量％は、Ａ質量％以上Ｂ質量％以下を意味する。
【００１３】
本発明の油脂組成物は、トランス脂肪酸の含有量が５質量％以下の油脂組成物であって、油脂組成物に含まれる乳脂肪以外の油脂が、以下の（ａ）、（ｂ）、（ｃ）、（ｄ）、（ｅ）および（ｆ）の条件を満たす。
（ａ）Ｌ２Ｕの含有量が１５〜４５質量％である
（ｂ）Ｌ２Ｕの含有量に対するＬＬＵの含有量の質量比（ＬＬＵ／Ｌ２Ｕ）が０．２０〜０．６５である
（ｃ）ＬＵ２の含有量が２５〜４５質量％である
（ｄ）ＬＵ２の含有量に対するＵＬＵの含有量の質量比（ＵＬＵ／ＬＵ２）が０．１５〜０．３０質量％である
（ｅ）ＬＬＬの含有量が３〜１５質量％である
（ｆ）ＵＵＵの含有量が５〜３０質量％である
【００１４】
本発明の油脂組成物に含まれる乳脂肪以外の油脂（以下、非乳脂肪ともいう）は、Ｌ２Ｕを１５〜４５質量％含有する（条件（ａ））。本発明の油脂組成物に含まれる非乳脂肪に占めるＬ２Ｕの含有量は、好ましくは１８〜４２質量％であり、より好ましくは２０〜４０質量％である。また、前記Ｌ２Ｕの含有量に対するＬＬＵの含有量の質量比（ＬＬＵ／Ｌ２Ｕ）は、０．２０〜０．６５である（条件（ｂ））。（ＬＬＵ／Ｌ２Ｕ）は、好ましくは０．２５〜０．６５であり、より好ましくは、０．２５〜０．５５であり、さらに好ましくは、０．２５〜０．５０である。
なお、本発明において、Ｌは炭素数１６〜２４の飽和脂肪酸であり、Ｕは炭素数１６〜２４の不飽和脂肪酸である。また、本発明において、Ｌ２Ｕは、グリセロール１分子に２分子のＬと１分子のＵがエステル結合したトリアシルグリセロールであり、ＬＬＵは、グリセロールの１位または３位に１分子のＵがエステル結合し、残りに２分子のＬがエステル結合したトリアシルグリセロールである。Ｌは、好ましくは炭素数１６〜２２の飽和脂肪酸であり、より好ましくは炭素数１６〜１８の飽和脂肪酸である。Ｕは、好ましくは炭素数１８〜２２の不飽和脂肪酸であり、より好ましくは炭素数１８の不飽和脂肪酸である。Ｌ、Ｕは、好ましくは直鎖である。
以後、トリアシルグリセロールはＴＡＧと表記することがある。
【００１５】
本発明の油脂組成物に含まれる非乳脂肪は、ＬＵ２を２５〜４５質量％含有する（条件（ｃ））。本発明の油脂組成物に含まれる非乳脂肪に占めるＬＵ２の含有量は、好ましくは３０〜４５質量％であり、より好ましくは３２〜４３質量％である。また、前記ＬＵ２の含有量に対するＵＬＵの含有量の質量比（ＵＬＵ／ＬＵ２）は、０．１５〜０．３０である（条件（ｄ））。（ＵＬＵ／ＬＵ２）は、好ましくは０．２０〜０．２９であり、よりに好ましくは、０．２２〜０．２７である。
なお、本発明において、ＬＵ２は、グリセロール１分子に１分子のＬと２分子のＵがエステル結合したトリアシルグリセロールであり、ＵＬＵは、グリセロールの２位にＬがエステル結合し、１位および３位にＵがエステル結合したトリアシルグリセロールである。
【００１６】
また、本発明の油脂組成物に含まれる非乳脂肪において、上記ＬＵ２の含有量に対する上記Ｌ２Ｕの含有量の質量比（Ｌ２Ｕ／ＬＵ２）は、好ましくは０．５〜１．８であり、より好ましくは０．６〜１．０であり、さらに好ましくは０．６０〜０．８０である。
【００１７】
本発明の油脂組成物に含まれる非乳脂肪は、ＬＬＬを３〜１５質量％含有する（条件（ｅ））。本発明の油脂組成物に含まれる非乳脂肪に占めるＬＬＬの含有量は、好ましくは４．０〜１２質量％であり、より好ましくは６．０〜１１質量％である。また、本発明の油脂組成物に含まれる非乳脂肪は、ＵＵＵを５〜３０質量％含有する（条件（ｆ））。本発明の油脂組成物に含まれる非乳脂肪に占めるＵＵＵの含有量は、好ましくは６〜２４質量％であり、より好ましくは７〜１９質量％であり、さらに好ましくは８〜１５質量％である。
なお、本発明において、ＬＬＬは、グリセロール１分子に３分子のＬがエステル結合したトリアシルグリセロールであり、ＵＵＵは、グリセロール１分子に３分子のＵがエステル結合したトリアシルグリセロールである。
【００１８】
本発明の油脂組成物は、油脂組成物に含まれる非乳脂肪が、上記の条件（ａ）、（ｂ）、（ｃ）、（ｄ）、（ｅ）および（ｆ）を満たすことにより、油脂組成物に含まれる油脂に占めるＬＬＬおよびＵＵＵの含有量が比較的少量であっても、作業性がよい。そして、当該油脂組成物を使用して製造されたベーカリー食品は、油脂組成物に含まれる油脂がＬＬＬを含有していても、口どけがよい。また、本発明の油脂組成物を使用して製造されたベーカリー食品の副次的な特徴として、油脂組成物に含まれる油脂に占めるＵＵＵが比較的少量であってもジューシー感を有する。
【００１９】
本発明の油脂組成物に含まれる非乳脂肪は、さらに、ラウリン酸含有トリアシルグリセロール（以下、ラウリンＴＡＧとも表す）を１．０〜１８質量％含有してもよい（条件（ｇ））。本発明の油脂組成物に含まれる非乳脂肪に占めるラウリン酸含有トリアシルグリセロールの含有量は、好ましくは２．０〜１５質量％であり、より好ましくは５．０〜１４．０質量％である。本発明の油脂組成物に含まれる非乳脂肪のラウリン酸含有トリアシルグリセロール含有量が上記範囲内にあると、油脂組成物は、ベーカリー食品の口どけを損なうことなく、作業性の向上が図れる。
なお、本発明において、ラウリン酸含有トリアシルグリセロールは、構成脂肪酸として少なくとも１分子のラウリン酸を有するトリアシルグリセロールである。
【００２０】
本発明の油脂組成物に含まれる非乳脂肪は、構成脂肪酸の全量に占める、パルミチン酸（Ｐ）の含有量に対するステアリン酸（Ｓｔ）の含有量の質量比（Ｓｔ／Ｐ）が、好ましくは０．１５〜０．５である（条件（ｈ））。前記Ｓｔ／Ｐは、より好ましくは０．１５〜０．４０であり、さらに好ましくは０．２０〜０．４０である。Ｓｔ／Ｐが上記範囲内にあると、油脂組成物は、ベーカリー食品の口どけを損なうことなく、作業性の向上が図れる。
【００２１】
本発明の油脂組成物の調製に使用される非乳脂肪は、上記（ａ）、（ｂ）、（ｃ）、（ｄ）、（ｅ）および（ｆ）の条件を満たせば、特に限定されない。食用に適した油脂（食用油脂）が使用できる。食用油脂としては、例えば、大豆油、菜種油、コーン油、ひまわり油、紅花油、胡麻油、綿実油、米油、オリーブ油、落花生油、亜麻仁油、パーム油、パーム核油、ヤシ油、カカオ脂、乳脂など、および、これらの油脂の混合油、これらの油脂または混合油の加工油脂（エステル交換油、分別油、水素添加油など）などを用いることができる。食用油脂は、１種または２種以上を適宜選択して使用してもよい。
【００２２】
本発明の油脂組成物に含まれる非乳脂肪の調製には、Ｌ２ＵおよびＬＵ２の供給源としてパーム系油脂を使用してもよい。パーム系油脂は、パーム油、パーム油の分別油、および、それらの加工油脂（硬化、エステル交換および分別のうち１以上の処理がなされたもの）であれば何れでもよい。パーム系油脂としては、具体的には、パーム油の１段分別油であるパームオレインおよびパームステアリン、パームオレインの２段分別油であるパームオレイン（パームスーパーオレイン）およびパームミッドフラクション、パームステアリンの２段分別油であるパームオレイン（ソフトパーム）およびパームステアリン（ハードステアリン）などが例示できる。
本発明の油脂組成物に含まれる非乳脂肪は、上記パーム系油脂を、好ましくは２０〜４５質量％含有し、より好ましくは２０〜４０質量％含有し、さらに好ましくは２５〜３５質量％含有する。
【００２３】
本発明の油脂組成物に含まれる非乳脂肪の調製には、ＬＬＵおよびＵＬＵの供給源として非ラウリン系油脂のエステル交換油脂（非ラウリン系エステル交換油脂）を使用してもよい。非ラウリン系油脂は、油脂を構成する脂肪酸全量のうち炭素数１６以上の脂肪酸が９０質量％を超える油脂である。例として、菜種油、高エルシン酸菜種油、大豆油、コーン油、紅花油、綿実油、ヒマワリ油、カカオ脂、シア脂、サル脂、パーム油など、並びに、これらの油脂が分別および／または水素添加された油脂が挙げられる。非ラウリン系エステル交換油脂の原料油脂には、これらから選ばれる１種または２種以上の非ラウリン系油脂が用いられてもよい。
【００２４】
上記非ラウリン系エステル交換油脂の原料油脂としては、パーム系油脂が使用されてもよい。パーム系油脂は上述のとおりである。非ラウリン系エステル交換油脂の原料油脂に、パーム系油脂が含まれる場合、原料油脂に占めるパーム系油脂の含有量は、好ましくは２０〜１００質量％であり、より好ましくは４０〜１００質量％であり、さらに好ましくは６０〜１００質量％である。なお、上記パーム系油脂に係る記述に係らず、原料油脂にパーム系油脂を含む非ラウリン系エステル交換油脂は、パーム系油脂には含まれない。
【００２５】
上記非ラウリン系エステル交換油脂は、エステル交換処理の前後で、分別、水素添加等の加工処理が単回、もしくは複数回繰り返されてもよい。非ラウリン系エステル交換油脂は、好ましくは４０質量％未満のＬ２Ｕを含有する。非ラウリン系エステル交換油脂のヨウ素価は、好ましくは３０〜８０であり、より好ましくは４０〜７５であり、さらに好ましくは５０〜７０であり、最も好ましくは５５〜７０である。非ラウリン系エステル交換油脂は、構成脂肪酸の全量に占める炭素数１６〜１８の脂肪酸の含有量が、好ましくは９５質量％以上である。
【００２６】
上記非ラウリン系エステル交換油脂は、特に好ましくは、エステル交換処理後に分別された液状部（オレイン部、以下、ＩＥオレインとも表す）である。ＩＥオレインは、ＬＵ２を、好ましくは２０〜７５質量％含み、より好ましくは４０〜６５質量％含み、さらに好ましくは５０〜６５質量％含む。また、ＩＥオレインは、ＬＬＬを、好ましくは１０質量％以下含み、より好ましくは３質量％以下含み、さらに好ましくは０〜１質量％含む。ＩＥオレインは、ＵＬＵを含み、かつ、ＬＬＬの含有量が低い。したがって、ＩＥオレインを油脂組成物に含まれる非乳脂肪の調製に使用すると、ＬＬＬの含有量を必要以上に増やすことなく、ＵＬＵの含有量を適正な範囲に調整できる。
【００２７】
本発明の油脂組成物に含まれる非乳脂肪は、非ラウリン系エステル交換油脂を、好ましくは２０〜７０質量％含有し、より好ましくは３０〜６５質量％含有し、さらに好ましくは３５〜５５質量％含有する。また、本発明の油脂組成物に含まれる非乳脂肪は、ＩＥオレインを、好ましくは１５〜６０質量％含有し、より好ましくは２０〜５５質量％含有し、さらに好ましくは３０〜５５質量％含有する。非ラウリンエステル交換油脂は、１種または２種以上を使用してもよい。
【００２８】
本発明の油脂組成物に含まれる非乳脂肪の調製には、ラウリン酸含有トリアシルグリセロールの供給源として、ラウリン系油脂および／またはラウリン系エステル交換油脂を使用してもよい。ラウリン系油脂は、油脂を構成する脂肪酸全量に占めるラウリン酸の含有量が３０質量％以上の油脂である。ラウリン系油脂としては、例として、ヤシ油、パーム核油、これらを分別して得られるパーム核オレイン、パーム核ステアリン等の分別油、これらをエステル交換した油脂、およびこれらの硬化油が挙げられる。
【００２９】
上記ラウリン系エステル交換油脂は、ラウリン系油脂と非ラウリン系油脂とを含む混合油のエステル交換油脂であってもよい。当該混合油は、ラウリン系油脂と非ラウリン系油脂とを、好ましくは３０：７０〜７０：３０の質量比で含み、より好ましくは、３５：６５〜６５：３５の質量比で含む。なお、非ラウリン系油脂は上述のとおりである。ラウリン系エステル交換油脂は、エステル交換油脂の構成脂肪酸全量に占めるラウリン酸の含有量が、好ましくは１０〜４０質量％であり、より好ましくは１５〜３０質量％である。ラウリン系エステル交換油脂は、エステル交換処理がなされていれば、エステル交換処理の前後で、分別、水素添加等の、加工処理が単回、もしくは複数回繰り返されてもよい。
【００３０】
上記ラウリン系油脂および／またはラウリン系エステル交換油脂は、ラウリン酸含有トリアシルグリセロールを、好ましくは４０〜９０質量％含有し、より好ましくは５０〜８５質量％含有する。また、本発明の油脂組成物に含まれる非乳脂肪は、ラウリン系油脂および／またはラウリン系エステル交換油脂を、好ましくは５〜３０質量％含有し、より好ましくは１０〜２５質量％含有し、さらに好ましくは１５〜２５質量％含有する。ラウリン系油脂および／またはラウリン系エステル交換油脂は、１種または２種以上を使用してもよい。
【００３１】
エステル交換油脂を調製するエステル交換反応の方法は、特に限定されない。位置選択性の低いエステル交換反応である非選択的エステル交換（ランダムエステル交換）、位置選択性の高いエステル交換反応である選択的エステル交換（位置特異的エステル交換）のどちらの方法を適用してもよい。しかし、非選択的エステル交換が好ましい。また、エステル交換の方法は、化学的エステル交換または酵素的エステル交換のどちらの方法を適用してもよい。
【００３２】
なお、油脂に含まれる各トリアシルグリセロール含有量は、ガスクロマトグラフィー法（例えば、ＡＯＣＳ  Ｃｅ５−８６準拠）により測定できる。トリアシルグリセロールの対称性は、例えば、Ｊ．Ｈｉｇｈ  Ｒｅｓｏｌ．Ｃｈｒｏｍａｔｏｇｒ．，１８，１０５−１０７（１９９５）に準じて測定できる。油脂を構成する各脂肪酸の含有量は、ガスクロマトグラフィー法（例えば、ＡＯＣＳ  Ｃｅ１ｆ−９６準拠）により測定できる。また、油脂のヨウ素価は、社団法人日本油化学会編、「基準油脂分析試験法」の「２．３．４．１−１９９６  ヨウ素価（ウィイス−シクロヘキサン法）」に準じて測定できる。
【００３３】
本発明の油脂組成物に含まれる油脂は、非乳脂肪の他に、任意成分として乳脂肪を含有してもよい。本発明の油脂組成物に含まれる油脂に占める乳脂肪の含有量は、好ましくは０〜５０質量％であり、より好ましくは０〜３０質量％であり、さらに好ましくは０〜２０質量％である。なお、ここで乳脂肪は、乳脂肪の加工品を含むものであり、より具体的には、バター、バターオイルもしくはそれらの分別油、分別油の発酵物、発酵バター、発酵バターオイルもしくはそれらの分別油、等の油脂相当部分が挙げられ、それらの１種もしくは２種以上を任意に用いることができる。
【００３４】
本発明の油脂組成物は実質的にトランス脂肪酸を含まない。すなわち、本発明の油脂組成物に含まれるトランス脂肪酸の含有量は、５質量％以下である。本発明の油脂組成物に含まれるトランス脂肪酸の含有量は、好ましくは３質量％以下であり、より好ましくは０〜２質量％であり、さらに好ましくは０〜１質量％である。
【００３５】
本発明の油脂組成物は、油脂組成物に含まれる油脂以外のその他の成分として、ベーカリー食品に用いる油脂組成物に一般的に使用される成分を含有してもよい。その他の成分としては、水、乳化剤、増粘安定剤、食塩、塩化カリウムなどの塩味剤、酢酸、乳酸、グルコン酸などの酸味料、糖類、糖アルコール類、ステビア、アスパルテームなどの甘味料、β−カロテン、カラメル、紅麹色素などの着色料、トコフェロール、茶抽出物（カテキン）、ルチンなどの酸化防止剤、小麦蛋白、大豆蛋白などの植物蛋白、卵、卵加工品、香料、全脂粉乳、脱脂粉乳、乳清蛋白などの乳製品、調味料、ｐＨ調整剤、食品保存料などの食品添加物、果実、果汁、コーヒー、ナッツペースト、香辛料、カカオマス、ココアパウダー、穀類、豆類、野菜類、肉類、魚介類などの食品素材、が挙げられる。
【００３６】
本発明の油脂組成物は、好ましくは可塑性が付与された可塑性油脂組成物である。本発明の可塑性油脂組成物としては、例えば、水相を有するマーガリンもしくはファットスプレッドであってもよいし、水相を有さないショートニングであってもよい。水相を有する乳化物の場合、乳化は、油中水型、水中油型および複合乳化型のいずれであってもよい。しかし、油中水型が好ましい。油中水型乳化物に含まれる水の含有量は、好ましくは１〜４０質量％であり、より好ましくは３〜３０質量％であり、さらに好ましくは、５〜２０質量％である。
【００３７】
本発明の油脂組成物の製造方法は、特に限定されない、公知のベーカリー食品に使用される油脂組成物の製造方法および製造条件を適用できる。具体的には、油脂組成物は、油溶成分を混合溶解することで製造できる。また、可塑性油脂組成物とする場合は、油溶成分を混合融解して油相を調製する。必要により水溶成分を混合溶解して水相を調製する。可塑性油脂組成物は、融解した油相を単独で、または、油相に水相を混合乳化した後、冷却し、結晶化させることで製造できる。冷却および結晶化は、好ましくは冷却可塑化を含む。冷却条件は、好ましくは−０．５℃／分以上、より好ましくは−５℃／分以上である。この際、徐冷却より急冷却の方が好ましい。また、油相の調製後または混合乳化後は、殺菌処理することが望ましい。殺菌方法としては、タンクでのバッチ式や、プレート型熱交換機、掻き取り式熱交換機を用いた連続式が挙げられる。冷却する機器としては、密閉型連続式チューブ冷却機、例えば、ボテーター、コンビネーター、パーフェクターなどのマーガリン製造機やプレート型熱交換機などが挙げられる。また、冷却する機器としては、開放型のダイアクーラーとコンプレクターとの組み合わせも挙げられる。
【００３８】
本発明の油脂組成物は、ベーカリー食品用、特にベーカリー食品の練り込み用または折り込み用として使用できる。また、本発明の油脂組成物は、チョコレートなどと組み合わせたベーカリー食品（複合食品）に用いるベーカリー食品の練り込み用または折り込み用としても好適に使用できる。
【００３９】
本発明のベーカリー食品には、本発明の油脂組成物が使用される。例えば、本発明のベーカリー食品は、本発明の油脂組成物を含有するベーカリー生地を加熱焼成することで得られる。ここでベーカリー生地は、穀粉を主成分とし、本発明の油脂組成物を練り込んだ生地や、折り込んだ生地である。加熱焼成は、オーブン加熱、直焼きの他、電子レンジ調理、煮る、蒸す、揚げるなどの加熱調理を含む。また、本発明のベーカリー食品は、ベーカリー焼成品に対して本発明の油脂組成物をコーティングすることでも得られる。
【００４０】
本発明において、穀粉とは、穀物を挽くなどして粉状にしたものである。穀粉は、通常、ベーカリー生地に配合されるものであれば、特に限定されない。穀粉の具体例としては、小麦粉（強力粉、中力粉、薄力粉等）、大麦粉、米粉、とうもろこし粉、ライ麦粉、そば粉、大豆粉などが挙げられる。穀粉は、澱粉やグルテンなどの化工粉末であってもよい。
【００４１】
本発明のベーカリー食品において、本発明の油脂組成物の使用量は、特に限定されない。油脂組成物使用量は、ベーカリー食品の種類によって適宜設定されればよい。例えば、ベーカリー生地への練り込み用である場合、ベーカリー生地に配合される穀粉１００質量部に対して、油脂組成物の使用量は、好ましくは０．５〜１５０質量部であり、より好ましくは２〜１２０質量部であり、最も好ましくは５〜１００質量部である。また、ベーカリー生地への折り込み用である場合、穀粉生地１００質量部に対して、油脂組成物は、好ましくは２０〜６０質量部、より好ましくは２５〜５０質量部、さらに好ましくは３０〜４５質量部折り込まれる。
【００４２】
本発明のベーカリー食品には、本発明の油脂組成物、穀粉以外に、通常、ベーカリー食品に配合される食品素材であれば、特に制限なく配合できる。また、これらの配合量も、通常、ベーカリー食品に配合される範囲で特に制限なく配合できる。食品素材は、具体的には、水、糖、糖アルコール、卵、卵加工品、澱粉、食塩、可塑性油脂、乳化剤、乳化起泡剤（乳化油脂）、チーズ、生クリーム、合成クリーム、ヨーグルト、全脂粉乳、脱脂粉乳、牛乳、濃縮乳、合成乳、イースト、イーストフード、カカオマス、ココアパウダー、チョコレート、コーヒー、紅茶、抹茶、野菜類、果物類、果実、果汁、ジャム、フルーツソース、肉類、魚介類、豆類、きな粉、豆腐、豆乳、大豆粉、大豆蛋白、膨張剤、甘味料、調味料、香辛料、着色料、香料などが挙げられる。
【００４３】
本発明のベーカリー食品は、本発明の油脂組成物を用いること以外は、公知の製造方法および製造方法を適用して製造できる。
【００４４】
本発明のベーカリー食品の具体例としては、ビスケット、クッキー、クラッカー、乾パン、プレッツェル、カットパン、ウェハース、サブレ、ラングドシャ、マカロンなどの焼き菓子、バターケーキ類（パウンドケーキ、フルーツケーキ、マドレーヌ、バウムクーヘン、カステラなど）、スポンジケーキ類（ショートケーキ、ロールケーキ、トルテ、デコレーションケーキ、シフォンケーキなど）、シュー菓子、発酵菓子、パイ、ワッフルなどの洋生菓子、食パン、菓子パン、フランスパン、シュトーレン、パネトーネ、ブリオッシュ、ドーナツ、デニッシュ、クロワッサンなどのパンが挙げられる。
【実施例】
【００４５】
次に、実施例及び比較例により本発明を詳細に説明する。しかし、本発明は、これらの実施例に何ら限定されない。
【００４６】
＜測定方法＞
以下に示す油脂組成物に含まれる油脂の、各構成脂肪酸の含有量、各トリアシルグリセロールの含有量およびヨウ素価は、以下の方法により測定した。
各脂肪酸の含有量は、ガスクロマトグラフィー法（ＡＯＣＳ  Ｃｅ１ｆ−９６準拠）で測定した。
各トリアシルグリセロール含有量は、ガスクロマトグラフィー法（ＡＯＣＳ  Ｃｅ５−８６準拠）で測定した。トリアシルグリセロールの対称性は、銀イオンカラムクロマトグラフィー法（Ｊ．Ｈｉｇｈ  Ｒｅｓｏｌ．Ｃｈｒｏｍａｔｏｇｒ．，１８，１０５−１０７（１９９５）準拠）で測定した。
ヨウ素価は、社団法人日本油化学会編、「基準油脂分析試験法」の「２．３．４．１−１９９６  ヨウ素価（ウィイス−シクロヘキサン法）」に準拠して測定した。
【００４７】
＜原料油脂の調製＞
油脂組成物に含まれる油脂を調製する原料油脂として、以下の油脂を準備した。
（パーム系油脂）
・パーム油（サンプル名：ＰＭＯ、ヨウ素価５２、日清オイリオグループ株式会社製）
・パームオレイン（サンプル名：ＰＬ６０、ヨウ素価６０、日清オイリオグループ株式会社製）
・パーム中融点部（サンプル名：ＳＰＭＦ、ヨウ素価４５、日清オイリオグループ株式会社製）
（非ラウリン系エステル交換油脂）
・ランダムエステル交換パームオレイン（サンプル名：ＩＥＰＬ５６、ヨウ素価５６、Ｌ２Ｕ含有量３６．５質量％、ＬＵ２含有量３７．８質量％、ＬＬＬ含有量１０．７質量％、日清オイリオグループ株式会社製）
・ランダムエステル交換分別オレイン１（サンプル名：ＩＥＯＬ１、ヨウ素価４５、３５質量部のパームステアリンおよび６５質量部のパーム中融点部を原料油脂とするランダムエステル交換油脂の分別したオレイン部、Ｌ２Ｕ含有量５９．４質量％、ＬＵ２含有量２６．０質量％、ＬＬＬ含有量８．６質量％、日清オイリオグループ株式会社製）
・ランダムエステル交換分別オレイン２（サンプル名：ＩＥＯＬ２、ヨウ素価６３、８質量部のハイオレイックヒマワリ油、１６．８質量部の極度硬化ハイオレイックヒマワリ油、５１．２質量部のパームステアリンおよび２４質量部のパーム油を原料油脂とするランダムエステル交換油脂を２段分別したオレイン部、Ｌ２Ｕ含有量２８．１質量％、ＬＵ２含有量５７．５質量％、ＬＬＬ含有量０質量％、日清オイリオグループ株式会社製）
（ラウリン系エステル交換油脂）
・ラウリン系ランダムエステル交換油脂（サンプル名：ＩＥＰＫＰＳ、ヨウ素価１、５０質量部の極度硬化パーム核オレインおよび５０質量部の極度硬化パームステアリンを原料油脂とするランダムエステル交換油脂、ラウリンＴＡＧ含有量５５．５質量％、日清オイリオグループ株式会社製）
（液状油脂）
・大豆油（サンプル名：ＳＢＯ、ヨウ素価１３１、日清オイリオグループ株式会社製）
（乳脂肪）
・発酵バター（サンプル名：ＦＢＦ、株式会社明治製）
【００４８】
＜油脂組成物の製造１＞
表１および表２に示した配合にしたがって、油脂１から油脂１２を調製した。表３に示した配合にしたがって、油脂として油脂１から油脂１２をそれぞれ使用した、例１から例１２の油脂組成物（マーガリン）を、常法にしたがって製造した。すなわち、水に水相成分を溶解して水相としたものを、油脂に油相成分を溶かした油相と混合して予備乳化を行った。その後、コンビネーターを用いて急冷混捏を行い、例１から例１２の油脂組成物を得た。
【００４９】
【表１】
2019123788.tif 000002
【００５０】
【表２】
2019123788.tif 000003
【００５１】
【表３】
2019123788.tif 000004
【００５２】
（ロールパンの製造１、評価１）
強力粉７００ｇ、生イースト３０ｇ、全卵１５０ｇ、水２７０ｇをミキサーボウルに投入し、低速で２分間、中速で２分間、混捏して。捏上げ温度２５℃の中種を得た。得られた中種を２８℃で２時間発酵させた。発酵させた中種をミキサーボウルに投入し、さらに強力粉３００ｇ、上白糖１２０ｇ、食塩１７ｇ、脱脂粉乳４０ｇ、水１８０ｇを投入し、低速で２分間、中速で５分間、混捏した。ここで、練り込み用油脂として、例１から例１２において得られた油脂組成物１５０ｇを投入し、さらに低速で２分間、中速で５分間、混捏して、捏上げ温度２８℃の生地を得た。フロアタイムを３０分取った後、４５ｇに分割し、次いでベンチタイムを３０分取った後、テーブルロール成型を行った。さらに、３８℃で相対湿度８５％のホイロに６０分間入れて最終発酵を行った。最終発酵後、全卵を上面に塗布し、上火２１０℃、下火２００℃のオーブンに入れた。オーブンで、９分３０秒焼成し、例１から例１２の油脂組成物をそれぞれ生地に練り込んだロールパンを得た。
【００５３】
上記ロールパン生地への油脂組成物の練り込み易さ（作業性）が、パン職人歴５年以上の職人３人により、以下の基準に従って、総合的に判断された。結果を表１および表２に示した。
評価基準
練り込み易く、非常に良好        ◎      （合格）
練り込み易く、良好              〇      （合格）
ふつう                          △      （不合格）
練り込み難く、不適              ▲      （不合格）
練り込み難く、非常に不適        ×      （不合格）
【００５４】
上記の例１から例１２の油脂組成物をそれぞれ生地に練り込んだロールパンについて、例１１の油脂組成物を練り込んだロールパンを対照として、以下の評価基準に従って、専門パネラー５名が口どけの評価を行った。結果を表１および表２に示した。
評価基準
対照と比較して口どけが非常に良い            ４点
対照と比較して口どけが良い                  ３点
対照と比較して同程度の口どけである          ２点
対照と比較して口どけが良くない              １点
対照と比較して口どけが非常に良くない        ０点
各パネラーの評点を合計して以下の基準により総合評価した。
１５点以上                        ◎      （合格）
１１点以上１５点未満              ○      （合格）
８点以上１１点未満              △      （不合格）
５点以上  ８点未満              ▲      （不合格）
５点未満                        ×      （不合格）
【００５５】
（油脂組成物の製造２、ロールパンの製造２、評価２）
上記の油脂２と発酵バター（ＦＢＦ）とを、油脂の質量比が８：２となるように混合した。当該混合物を使用して、表３に示した配合で、常法にしたがって、コンビネーターを用いて急冷混捏を行い、例１３の油脂組成物を得た。
同様に、上記の油脂１１と発酵バター（ＦＢＦ）とを、油脂の質量比が８：２となるように混合した。当該混合物使用して、表３に示した配合で、常法にしたがって、コンビネーターを用いて急冷混捏を行い、例１４（比較）の油脂組成物を得た。
【００５６】
上記の例１３および１４の油脂組成物をそれぞれ使用して、ロールパンの製造１と同様にロールパンを製造した。評価１と同様に、例１３と例１４の油脂組成物のロールパン生地への練り込み易さ（作業性）を評価した。また、評価１と同様に、例１４の油脂組成物を練り込んだロールパンを対照として、例１３の油脂組成物を練り込んだロールパンの口どけを評価した。結果を表４に示した。
【００５７】
【表４】
2019123788.tif 000005
【００５８】
（油脂組成物の製造３）
上記の油脂３、４、８および９を用いて、表５に示した配合で、常法にしたがって、コンビネーターを用いて急冷混捏を行い、シート状に成型して、例１５から例１８のロールイン用油脂組成物（マーガリン）を得た。
また、上記の油脂５と発酵バター（ＦＢＦ）を質量比が８：２となるように混合した。当該混合物を使用して、表５に示した配合で、常法にしたがって、コンビネーターを用いて急冷混捏を行い、シート状に成型して、例１９のロールイン用油脂組成物（マーガリン）を得た。
【００５９】
【表５】
2019123788.tif 000006
【００６０】
（クロワッサンの製造、評価方法）
強力粉５００ｇ、薄力粉５００ｇ、イースト５０ｇ、イーストフード１０ｇ、上白糖６０ｇ、食塩１７ｇ、脱脂粉乳３０ｇ、全卵５０ｇ、水５３０ｇをミキサーボウルに投入し、低速で１分間混合した。さらに上記例１の油脂組成物６０ｇを投入して、低速で２分間、中速で４分間混合し、捏上温度２４℃の生地を得た。室温で４０分間一次発酵させた後、−２℃で一晩リタードを取った。このクロワッサン用生地１８００ｇに対して、上記の例１５から例１９のロールイン用油脂組成物を各５００ｇ折り込み（３つ折り２回、３つ折り１回）、成型した。３２℃で相対湿度７５％のホイロに６０分間入れて最終発酵を行った。最終発酵生地に、全卵を塗布し、上火２１５℃、下火２１５℃のオーブンに入れて、１５分間焼成し、例１５から例１９のロールイン用油脂組成物をそれぞれ折り込んだクロワッサンを得た。
上記クロワッサン用生地へのロールイン用油脂組成物の折り込み易さ（作業性）が、パン職人歴５年以上の職人３人により、以下の基準に従って、総合的に判断された。結果を表６に示した。
評価基準
伸展性良く折り込み易く、非常に良好      ◎    （合格）
伸展性良く折り込み易く、良好            〇    （合格）
ふつう                                  △    （不合格）
伸展性悪く折り込み難く、不適            ▲    （不合格）
伸展性悪く折り込み難く、非常に不適      ×    （不合格）
上記の例１５から例１９のロールイン用油脂組成物をそれぞれ折り込んだクロワッサンについて、例１７のロールイン用油脂組成物を折り込んだクロワッサンを対照として、以下の評価基準に従って、専門パネラー５名により口どけの評価を行った。結果を表６に示した。
評価基準
対照と比較して口どけが非常に良い            ４点
対照と比較して口どけが良い                  ３点
対照と比較して同程度の口どけである          ２点
対照と比較して口どけが良くない              １点
対照と比較して口どけが非常に良くない        ０点
各パネラーの評点を合計して以下の基準により総合評価した。
１５点以上                        ◎      （合格）
１１点以上１５点未満              ○      （合格）
８点以上１１点未満              △      （不合格）
５点以上  ８点未満              ▲      （不合格）
５点未満                        ×      （不合格）
【００６１】
【表６】
2019123788.tif 000007